(57)【要約】  【課題】  Ｈ型建枠を使用した枠組足場に取り付けて作業安全性を高める足場用幅木を提供する。  【解決手段】  幅木本体２の両端側面２ａの下端部に足場板Ｂの係止クランプＢａへ上方より差し込んで係止させる略逆Ｕ字形状の係止金具３を軸着する。また、幅木本体の両端の上端部にはＨ型建枠に取り付けた筋交いＣを挟持する一対の挟持体７、７’を有する挟持金具４を備える。そして、幅木１の係止金具３を足場板Ｂの係止クランプＢａへ上方より差し込んだ後、挟持金具４の挟持体７、７’を起立状態としてＨ型建枠Ａに取り付けた筋交いＣを挟持することで幅木本体２を固定する。【選択図】  図２
2008106437.tif 000002
【特許請求の範囲】
【請求項１】
Ｈ型建枠及び足場板を組み上げてなる枠組足場の足場板の周囲に取り付ける足場用幅木であって、幅木本体の両端側面の下端部に足場板の係止クランプへ上方より差し込んで係止させる略逆Ｕ字形状の係止金具を軸着すると共に、幅木本体の両端の上端部にはＨ型建枠に取り付けた筋交いを挟持して幅木本体を固定する挟持金具を備えたことを特徴とする足場用幅木。
【請求項２】
前記挟持金具は、幅木本体の両端の上端部に一対の挟持体をＨ型建枠に取り付けた筋交いに向けて起伏自在に軸着し、該挟持体を起立させた状態とすると前記筋交いを一対の挟持体にて挟持して幅木本体を固定する一方、挟持体を伏せた状態とすると固定を解除できる構成としたことを特徴とする請求項１記載の足場用幅木。
【発明の詳細な説明】
【技術分野】
【０００１】
本発明は、土木、建築などの工事現場において、建築物の外壁などに沿って設置する枠組足場の足場板の周囲に取り付ける足場用幅木に関し、特にＨ型建枠から成る枠組足場に取り付けられる足場用幅木に関する。
【背景技術】
【０００２】
従来より、建枠及び足場板を組み上げて構築する枠組足場の足場板の両側面には、作業者の墜落防止などの作業安全を確保するために足場用幅木が取り付けられている。本出願人は前記幅木として、幅木本体の両端側面の下端部に略逆Ｕ字形状の係止金具を備え、該係止金具を足場板の係止クランプへ上方より差し込んで係止させると共に、幅木本体の両端の上端部に備えたフック金具を建枠の脚柱に引っ掛けて固定することで、足場板が横へずれ動いても足場板と幅木が一体となって動くことで足場板の側縁に隙間を生じさせない作業安全性の高い幅木を特許出願している。
【特許文献１】特開２００６−２２６０１号
【特許文献２】特開２００６−１６１４５８号
【発明の開示】
【発明が解決しようとする課題】
【０００３】
上記従来の幅木は、幅木本体の両端の上端部に備えたフック金具を建枠の脚柱に引っ掛けて固定するようにしており、枠組足場用の建枠として広く使用されている鳥居形状をした建枠には取り付け可能である。しかしながら、鳥居形状をした建枠と異なる脚柱の中央部付近を横架材で接合して略Ｈ形状としたＨ型建枠に従来の幅木を取り付けようとすると、Ｈ型建枠では中央部付近の横架材に掛け渡した足場板を境として上下位置に筋交いをそれぞれ取り付ける構造となっており、従来幅木のフック金具の脚柱への引っ掛け位置に筋交い取付用の係止ピンが位置し、係止ピンや筋交いが邪魔になって取り付けができないものとなっている。
【０００４】
本発明は上記の点に鑑み、Ｈ型建枠を使用した枠組足場に取り付けて作業安全性を高める足場用幅木を提供することを課題とする。
【課題を解決するための手段】
【０００５】
上記の課題を解決するために、本発明に係る請求項１記載の足場用幅木にあっては、Ｈ型建枠及び足場板を組み上げてなる枠組足場の足場板の周囲に取り付ける足場用幅木であって、幅木本体の両端側面の下端部に足場板の係止クランプへ上方より差し込んで係止させる略逆Ｕ字形状の係止金具を軸着すると共に、幅木本体の両端の上端部にはＨ型建枠に取り付けた筋交いを挟持して幅木本体を固定する挟持金具を備えたことを特徴としている。
【０００６】
また、本発明に係る請求項２記載の足場用幅木にあっては、前記挟持金具は、幅木本体の両端の上端部に一対の挟持体をＨ型建枠に取り付けた筋交いに向けて起伏自在に軸着し、該挟持体を起立させた状態とすると前記筋交いを一対の挟持体にて挟持して幅木本体を固定する一方、挟持体を伏せた状態とすると固定を解除できる構成としたことを特徴としている。
【発明の効果】
【０００７】
本発明に係る請求項１記載の足場用幅木によれば、Ｈ型建枠及び足場板を組み上げてなる枠組足場の足場板の周囲に取り付ける足場用幅木であって、幅木本体の両端側面の下端部に足場板の係止クランプへ上方より差し込んで係止させる略逆Ｕ字形状の係止金具を軸着すると共に、幅木本体の両端の上端部にはＨ型建枠に取り付けた筋交いを挟持して幅木本体を固定する挟持金具を備えたので、Ｈ型建枠に取り付けた筋交いを利用して幅木本体を固定できると共に、この幅木を足場板に取り付ければ足場板と幅木との間に隙間が生じることはなく、高い作業安全性を確保できる。
【０００８】
本発明に係る請求項２記載の足場用幅木によれば、挟持金具は、幅木本体の両端の上端部に一対の挟持体をＨ型建枠に取り付けた筋交いに向けて起伏自在に軸着し、該挟持体を起立させた状態とすると前記筋交いを一対の挟持体にて挟持して幅木本体を固定する一方、挟持体を伏せた状態とすると固定を解除できる構成としたので、一対の挟持体を起立させて筋交いを挟持することで幅木上部の横移動防止と幅木の上方向への抜け止め防止を行え、高い作業安全性を確保できる。
【発明を実施するための最良の形態】
【０００９】
本発明に係る足場用幅木によれば、幅木の下端部を足場板の係止クランプに係止して幅木と足場板とを一体化するために、幅木本体の両端側面の下端部に足場板の係止クランプへ上方より差し込んで係止させる略逆Ｕ字形状の係止金具を備える。また、幅木本体の両端の上端部にはＨ型建枠に取り付けた筋交いを挟持して固定する挟持金具を備える。該挟持金具は、幅木本体の両端の上端部に一対の挟持体をＨ型建枠に取り付けた筋交いに向けて起伏自在に軸着し、該挟持体を回動させて起立させた状態とするとＨ型建枠に取り付けた筋交いを一対の挟持体にて挟持して幅木本体を固定する一方、挟持体を回動させて伏せた状態とすると解除できる構成とする。
【００１０】
そして、幅木を取り付けるときには、前記略逆Ｕ字形状の係止金具を足場板の係止クランプへ上方から差し込んで係止させて幅木本体の下端縁を足場板上面と近接または当接させて幅木と足場板の一体化を図る。次いで、幅木本体の上端部の挟持金具の一対の挟持体をＨ型建枠に取り付けた筋交い側に回動させて起立状態として筋交いを挟持させることで、幅木の設置を完了する。
【００１１】
このように、上記幅木は、Ｈ型建枠間に掛け渡された筋交いを利用して取り付けるもので、幅木の下端部を足場板の係止クランプに係止させて足場板の側縁に立設して幅木と足場板を一体化すると共に、幅木の上端部を挟持金具にてＨ型建枠に取り付けた筋交いに挟持させるようにしたので、Ｈ型建枠を使用した枠組足場にも取り付け可能となり、また何かの拍子で足場板が左右にずれ動いたとしても足場と幅木が一体となって動くので足場板の側縁に隙間を生じることはなく、作業安全性が確保される。
【実施例】
【００１２】
以下、本発明の実施例を図面に基づいて説明する。
【００１３】
図１は本発明の足場用幅木１の正面図及び側面図、図２は幅木１の一側部の斜視図、図３は図１のＸ−Ｘ矢視の一部切り欠き拡大図である。枠組足場は、図１のように、Ｈ型建枠Ａを所定間隔にて立設し、隣接するＨ型建枠Ａの横架材Ａａ間に足場板Ｂを掛け止めし、また隣接するＨ型建枠Ａの脚柱Ａｂ間に筋交いＣを取り付けた構成としており、前記足場板Ｂに幅木１が取り付けられている。
【００１４】
幅木１は、足場板Ｂと略同一長さの幅木本体２を主体とし、該幅木本体２の両端側面２ａの下端部に足場板Ｂの係止クランプＢａへ係止させる係止金具３を備えると共に、幅木本体２の両側の上端部にはＨ型建枠Ａに取り付けた筋交いＣを挟持する挟持金具４を備えている。
【００１５】
前記係止金具３は、所定幅のスリット５を有する略逆Ｕ字形状の板状金具であり、幅木本体２の両端側面２ａの下端部に軸体６にて揺動自在に軸着している。前記スリット５は足場板Ｂの係止クランプＢａの厚みよりも若干幅広に形成しており、図１及び図２に示すように、このスリット５を係止クランプＢａの基端部に上方より差し込んで係止できるようにしている。
【００１６】
また、前記挟持金具４は、一対の挟持体７、７’を幅木本体２の上端縁２ｂの幅長さよりやや間隔を設けて平行に保ちながら連結体８で連結して一体化し、幅木本体２の上端縁２ｂに跨がせると共に、略Ｊ字形状に折曲形成した棒状金具９の棒状部９ａを挟持体７、７’の透孔１０ａ及びそれに合致する幅木本体２の透孔に貫通させて取り付け、棒状部９ａを支点として一対の挟持体７、７’を図１及び図２の矢印で示すように、筋交いＣに向けて起伏自在としている。なお、挟持金具４は一対の起立した挟持体７、７’にて筋交いＣを挟持するようにしているが、挟持体７、７’の長さを適宜に設定することで、筋交いＣの長さによって筋交いの取り付け勾配が多少変化しても挟持できるように対応しておくと良い。
【００１７】
前記棒状金具９は、図３のように、棒状部９ａにバネ体１１を装着しながら止めピン１２で係止し、バネ体１１の復元力によって棒状金具９の係止部９ｂを内方に引き込むように付勢させている。そして、棒状金具９を掴んでバネ体１１の復元力に抗して引っ張りながら係止部９ｂの係止を解除した状態で、図１及び図３のように、挟持体７、７’を起立方向に回動させると連結体８の側縁部が幅木本体２の上端縁２ｂに当接して起立状態を保ち、ここで係止部９ｂを挟持体７の透孔１０ｂ及びそれに合致する幅木本体２の透孔に挿入して係止することで挟持体７、７’が筋交いＣを挟持した状態で固定される。
【００１８】
また、挟持状態を解除するには、棒状金具９をバネ体１１の復元力に抗して引っ張りながら係止部９ｂの係止を解除した状態で、挟持体７、７’を伏せる方向に回動させると連結体８が幅木本体２の上端縁２ｂに当接して図１（ａ）の二点鎖線で示すように伏せた状態となり、ここで係止部９ｂを挟持体７の透孔１０ｃ及びそれに合致するに幅木本体２の透孔に挿入して係止すれば伏せた状態で固定される。
【００１９】
そして、上記幅木１を取り付けるときには、足場板Ｂ両端の係止クランプＢａの基端部に幅木１両端の係止金具３のスリット５を上方よりそれぞれ差し込んで係止させる。次に、挟持金具４の棒状部９を掴んでバネ体１１の復元力に抗して引っ張りながら、挟持体７、７’を回動して起立した状態とした後、棒状部９の係止部９ｂを挟持体７の透孔１０ｂ及びそれに合致する幅木本体２の透孔に挿入して係止すれば、挟持体７、７’にて筋交いＣを挟持した状態となる。これによって、幅木１は、下方が足場板Ｂに、上方が筋交いＣに挟まれた状態となって脱落することはない。
【００２０】
また、幅木１を取り外すときには、前記取り付けとは逆に、挟持金具４の棒状部９を掴んでバネ体１１の復元力に抗して引っ張りながら挟持体７、７’を伏せる方向に回動して幅木本体２の上端縁２ｂに伏した状態とした後、棒状部９の係止部９ｂを挟持体７の透孔１０ｃ及びそれに合致するに幅木本体２の透孔に挿入して係止すれば、幅木本体２の上端部の固定が解除できる。そして、そのままの状態で幅木１を持ち上げれば取り外すことができる。
【００２１】
このように、幅木１は、Ｈ型建枠間に掛け渡された筋交いを利用して取り付けるもので、その下端部を足場板Ｂの係止クランプＢａに係止して足場板Ｂの側縁に立設すると共に、幅木本体２の上端部に起伏自在に軸着した一対の挟持体７、７’にてＨ型建枠Ａに取り付けた筋交いＣを挟持して幅木本体２を固定するので、Ｈ型建枠Ａを使用した枠組足場にも使用でき、高い作業安全性を確保できる。
【００２２】
なお、本実施例では、挟持金具４として起伏自在に軸着した一対の挟持体７、７’を備えてＨ型建枠Ａに取り付けた筋交いＣを挟持するようにしたが、筋交いＣを挟持する挟持金具４は本発明の要旨を逸脱しない範囲内において種々変更を加えることができる。
【図面の簡単な説明】
【００２３】
【図１】本発明に係る足場用幅木の正面図（ａ）、側面図（ｂ）である。
【図２】図１の一端部の斜視図である。
【図３】図１のＸ−Ｘ矢視の一部切り欠きした拡大図である。
【符号の説明】
【００２４】
１…幅木                        ２…幅木本体
３…係止金具                    ４…挟持金具
５…スリット                    ７、７’…挟持体
８…連結体                      ９…棒状金具
９ａ…棒状部                    ９ｂ…係止部
１０ａ、１０ｂ、１０ｃ…透孔    １１…バネ体
Ａ…Ｈ型建枠                    Ａａ…横架材
Ａｂ…脚柱                      Ｂ…足場板
Ｂａ…係止クランプ              Ｃ…筋交い
【図１】
2008106437.tif 000003
【図２】
2008106437.tif 000004
【図３】
2008106437.tif 000005